(57)【要約】【課題】スムーズに回動することができ、かつ煙と炎とを十分に遮断することが可能な防煙防炎装置を提供する。【解決手段】防火扉１の片面の下方に、防煙防炎板収納器２が取り付けられている。防煙防炎板３は、対向する２つの側板３ａと、これらの側板３ａを連結する底板３ｂとからなり、側板３ａと底板３ｂの長手方向の長さは、防火扉１の幅、すなわち遮断されるべき廊下の幅と略同一となるように形成されている。火災が発生し、防火扉１が回動して廊下を遮断する位置に来たときに、防煙防炎板３の底板３ｂの真下となる廊下の床面には、金属枠体７が設けられ、この金属枠体７の枠内には磁石８が配置されている。防煙防炎板３の底板３ｂは、磁石８の引力によって下降し、防火扉１と廊下の床面６との間に生じる隙間を遮断する。【選択図】　図２
2004081459.tif 000002
【特許請求の範囲】
【請求項１】
回動可能な防火扉の下方に取り付けられた防煙防炎板と、床に埋め込まれた磁石とを備え、火災発生時に前記防火扉が回動して廊下を遮断する位置にあるときに、前記防煙防炎板が前記磁石による引力により下降し、床面との間に生じる隙間を遮断することを特徴とする防煙防炎装置。
【請求項２】
前記防煙防炎板に引きバネが連接され、前記防煙防炎板は前記引きバネによって上昇することにより、防煙防炎板収納器に収納可能であることを特徴とする請求項１記載の防煙防炎装置。
【発明の詳細な説明】
【０００１】
【発明の属する技術分野】
本発明は、ビル火災などの発生の際に、煙と炎がビルの廊下を伝わって火災が拡大することを防止するのに用いられる防煙防炎装置に関する。
【０００２】
【従来の技術】
ビル火災が発生すると、火災によって生じる煙と炎とがビルの廊下を伝わり、これによって、ビル全体が煙と炎に覆われて大火災に至る事態となりやすい。このような大規模のビル火災が発生すると多くの人命が失われるため、火災の拡大を防ぐ有効な手段が求められている。このような火災の拡大の防止を目的として、煙と炎がビルの廊下を伝わって広がることを防止するための防火扉が設置されている。
この防火扉は通常、通行の邪魔にならないように廊下の壁に沿って設置されており、火災発生時には煙センサーや温度センサーが機能して防火扉のストッパーがはずれて防火扉が回動し、廊下を遮断する位置で停止する。防火扉は不燃性の材料によって製造されているため、防火扉によって廊下を遮断することにより、火災発生場所からの煙や炎が、他の場所に拡散することを防止する。
【０００３】
【発明が解決しようとする課題】
しかし、防火扉は火災発生時にスムーズに回動できるようにするために、廊下の床面と防火扉の下端との間は、通常１０ｍｍ程度の隙間が設けられている。そのため、火災発生時には、この隙間を通って煙と炎とが漏れ、完全に煙と炎を遮断することは困難であった。ビル火災の際には、大量の煙と炎が発生することが多く、このような隙間から漏れた煙と炎とがビル内に充満すると、防火扉を設置していても、その効果を十分に発揮することができなかった。
その一方で、廊下の床面との間の隙間をなくすために、防火扉の下端が廊下の床面と接するように防火扉を形成すると、火災発生時に防火扉が廊下の床面と接触するため、スムーズに回動できなくなり、火災の発生に対して迅速に回動して廊下を遮断すべき防火扉がその機能を十分に発揮できなくなる。
【０００４】
廊下の床面と防火扉の下端との隙間を塞ぐための手段として、扉の開閉時に、トリガーと呼ばれる突起部を押えこみ、このトリガーの動作と連動する遮蔽板を設けて遮断板を昇降させることも考えられるが、この方法によると、トリガーを押えこむために大きな力が必要となり、遮断板をスムーズに昇降させることが困難であり、効率良く煙や炎を遮断することができない。
また、防火扉が回動する際の、廊下の床面との摩擦を和らげるために、防火扉下端部を、石綿板等の柔らかい防煙防炎性の不燃物の板で形成することも考えられるが、床面との接触面の仕上げ精度の点から施工上問題がある。
本発明は、このような事情を考慮してなされたもので、スムーズに回動することができ、かつ煙と炎とを十分に遮断することが可能な防煙防炎装置を提供することを目的とする。
【０００５】
【課題を解決するための手段】
以上の課題を解決するために、請求項１記載の発明は、回動可能な防火扉の下方に取り付けられた防煙防炎板と、床に埋め込まれた磁石とを備え、火災発生時に前記防火扉が回動して廊下を遮断する位置にあるときに、前記防煙防炎板が前記磁石による引力により下降し、床面との間に生じる隙間を遮断することを特徴とする防煙防炎装置である。
本発明においては、磁石による引力によって防煙防炎板を下降させているため、特に大きな力を必要とせずに、磁石が埋め込まれた位置に防煙防炎板が来ると、防煙防炎板は直ちに下降して床面との間に生じる隙間を遮断するため、火災時に発生する煙や炎が廊下を伝わって広がることを防止して、火災の拡大を防止することができる。
【０００６】
請求項２記載の発明は、請求項１記載の防煙防炎装置において、前記防煙防炎板に引きバネが連接され、前記防煙防炎板は前記引きバネによって上昇することにより、防煙防炎板収納器に収納可能であることを特徴とする。
このような構成とすることにより、防火扉の回動時において、防煙防炎板の底板と廊下の床面との間に隙間があるため、防火扉をスムーズに回動することができる。
【０００７】
【発明の実施の形態】
以下、本発明の実施の形態を、図１、図２に基づいて詳細に説明する。
図１は、火災が発生していない平常時における状態を示すものであり、この平常時においては、防火扉は廊下の壁に沿って設置されている。図２は、火災発生時における状態を示すものであり、このとき防火扉は、図１に示す状態の設置状態から回動して、廊下を遮断する。
図１（ａ）は、防火扉を側面から見た図であり、本発明の防煙防炎装置が防火扉に取り付けられている様子を示している。また、図１（ｂ）は、この防煙防炎装置の構成を示し、図１（ｃ）は、この防煙防炎装置が取り付けられた防火扉の斜視図である。
【０００８】
図１（ａ）、（ｂ）、（ｃ）において、符号１は防火扉であり、この防火扉１の片面の下方に、防煙防炎板収納器２が取り付けられている。符号３は防煙防炎板であり、この防煙防炎板３は、対向する２つの側板３ａと、これらの側板３ａを連結する底板３ｂとからなり、側板３ａと底板３ｂの長手方向の長さは、防火扉１の幅、すなわち遮断されるべき廊下の幅と略同一となるように形成されている。
側板３ａの下端付近には、底板３ｂに対してほぼ平行に引きばね取付棒４が設けられている。符号５は引きばねであり、この引きばね５の一端は防煙防炎板収納器２の内面上端に固定され、他端は引きばね取付棒４に固定されている。引きばね５は、防煙防炎板３の長手方向に沿って適宜必要な数だけ設けられ、その数は、遮断されるべき廊下の幅や、防火扉の大きさや重量等の条件によって定められる。
図１は上述したように、火災が発生していない平常時における状態を示したものであるため、図１（ｂ）に示すように、防煙防炎板３の底板３ｂと、廊下の床面６との間には隙間を生じている。
【０００９】
図２（ａ）は、火災発生の際に防火扉が回動して、廊下を遮断する位置にあるときに、防火扉を側面から見た図であり、図２（ｂ）はこのときの防煙防炎装置の構成を示している。図２（ｃ）は、この防煙防炎装置が取り付けられた防火扉の斜視図である。
火災が発生し、防火扉１が回動して廊下を遮断する位置に来たときに、防煙防炎板３の底板３ｂの真下となる廊下の床面には、金属枠体７が設けられ、この金属枠体７の枠内には磁石８が配置されている。
【００１０】
防煙防炎板３の底板３ｂは、磁石８の引力によって金属枠体７の上面と接する位置まで下降する。これによって、防火扉１と廊下の床面６との間には隙間が生じても、図２（ｃ）に示すように、防煙防炎板３の側板３ａが防火扉１の長手方向に亘って、防火扉１と廊下の床面６との間に生じる隙間を遮断する。
従って、この防煙防炎装置によると、廊下の床面６との間の隙間をなくすことができるため、火災時に発生する煙や炎が廊下を伝わって広がることを食い止めることができ、火災の拡大を防止することができる。
【００１１】
しかも、火災発生時に図１から図２の状態に移行するために防火扉１が回動する際に、防煙防炎板３の底板３ｂは引きばね５に引かれて防煙防炎板収納器２内に収納されている。そのため、底板３ｂと廊下の床面６との間には隙間があり、防煙防炎板３の底板３ｂが床面６に接触することがなく、防火扉１はスムーズに回動することができる。
さらに、鎮火後に図２から図１の状態に戻る際にも、防煙防炎板３の底板３ｂは引きばね５に引かれて防煙防炎板収納器２内に収納されており、底板３ｂと廊下の床面６との間には隙間があるため、防火扉１はスムーズに回動することができる。
【００１２】
図１，２においては、防煙防炎板収納器２を防火扉１の外側下端に設けているが、これに限定されるものではなく、防火扉１の下端付近に防煙防炎板収納器２を取り付けるための空間を設け、この空間内に防煙防炎板収納器２を取り付けて、防煙防炎板３を収納することも可能である。
防煙防炎板収納器２、引きばね５、金属枠体７は、さび防止のためステンレスにより形成されることが好ましいが、これに限定されるものではない。また、防煙防炎板３は鉄により形成されることが好ましいが、磁石８によって引き寄せられる特性を持つ金属であれば他のものであってもよい。また、磁石８は通常用いられる永久磁石であれば何であってもよい。
また、以上に示した防煙防炎板収納器２、防煙防炎板３等の形状は一例であって、これらの形状に限定されるものではなく、防煙防炎板３は磁石８の引力によって下降する機能をもつものであれば他の形状であってもよい。また、防煙防炎板収納器２は、防煙防炎板３を収納できるものであれば、他の形状であってもよい。
【００１３】
【発明の効果】
以上説明したように、本発明によると、以下の効果を奏することができる。
（１）回動可能な防火扉の下方に取り付けられた防煙防炎板と、床に埋め込まれた磁石とを備え、火災発生時に防火扉が回動して廊下を遮断する位置にあるときに、防煙防炎板が磁石による引力により下降することにより、床面との間に生じる隙間を遮断することができ、火災時に発生する煙や炎が廊下を伝わって広がることを防止して、火災の拡大を防止することができる。
（２）防煙防炎板に引きバネが連接され、防煙防炎板は引きバネによって上昇することによって、防煙防炎板収納器に収納可能であることにより、防火扉の回動時において、防煙防炎板の底板と廊下の床面との間に隙間があるため、防火扉をスムーズに回動することができる。
【図面の簡単な説明】
【図１】火災が発生していない平常時における状態を示すものであり、図１（ａ）は、防火扉を側面から見た図、図１（ｂ）は、この防煙防炎装置の構成を示す図、図１（ｃ）は、この防煙防炎装置が取り付けられた防火扉の斜視図である。
【図２】火災発生時における状態を示すものであり、図２（ａ）は、火災発生時に廊下を遮断する位置にあるときに、防火扉を側面から見た図、図２（ｂ）はこのときの防煙防炎装置の構成を示す図、図２（ｃ）は、この防煙防炎装置が取り付けられた防火扉の斜視図である。
【符号の説明】
１　防火扉
２　防煙防炎板収納器
３　防煙防炎板
３ａ　側板
３ｂ　底板
４　引きばね取付棒
５　引きばね
６　床面
７　金属枠体
８　磁石
【図１】
2004081459.tif 000003
【図２】
2004081459.tif 000004